(57)【特許請求の範囲】
【請求項１】
ホットメルト型の接着剤が長手方向に間欠的に塗工された帯状シートを、該接着剤の塗工部間で切断して得られるシートを、該接着剤を介して他の部材に接合するシート接合装置であって、
前記シートを外周面に保持しつつ回転し、該シートを他の部材との接合部又は他のロールへの受け渡し部まで搬送する搬送ロール、該搬送ロールの外周面に開口する吸引口から吸引して、該外周面に前記シートを吸着する吸引機構、及び該搬送ロールを加熱し、前記シートに塗工された前記接着剤の温度の低下を抑制可能な加熱手段を備えており、
前記吸引口は、前記シートにおける前記接着剤の塗工部と重なる部分には存在せずに、該塗工部の周りのシート部分を吸引するように配置されているシート接合装置。
【請求項２】
前記搬送ロールは、側面に開口する側方開口部と前記吸引口との間を連通する通気路を有し、前記側面に対向配置されたブローリングの開口部と前記側方開口部とが重なっているときに前記吸引口からの吸引が行われるようになされており、該搬送ロールにおける、前記側方開口部を有する側面の近傍が、断熱材から構成されている請求項１記載のシート接合装置。
【請求項３】
前記搬送ロールにヒートパイプが取り付けられている請求項１又は２記載のシート接合装置。
【請求項４】
前記ヒートパイプは、前記搬送ロールの半径方向において、前記加熱手段の配置位置より外周面に近い部位に設けられている請求項３記載のシート接合装置。
【請求項５】
前記加熱手段として、前記搬送ロールに、該搬送ロールの軸長方向に発熱容量の異なるカートリッジヒーターを備えている請求項１〜４の何れか１項記載のシート接合装置。
【請求項６】
切断刃を有するカッターロールを具備し、該カッターロールと前記搬送ロールとの間に供給された前記帯状シートが該搬送ロール上において切断され、切断により生じる短尺シートが前記シートとして搬送される請求項１〜５の何れか１項記載のシート接合装置。
【請求項７】
ショーツ等の衣類に固定するための粘着部を衣類当接面に有する吸収性物品の製造方法であって、
ホットメルト型の接着剤が塗工されたシートを、請求項１記載のシート接合装置を用いて、衣類当接面に接合し、前記粘着部が該接着剤からなり該粘着部が前記シートにより使用時まで被覆保護された形態の吸収性物品を得る、吸収性物品の製造方法。
【発明の詳細な説明】
【技術分野】
【０００１】
本発明は、シート接合装置及び吸収性物品の製造方法に関する。
【背景技術】
【０００２】
従来、生理用ナプキン等の吸収性物品として、図６及び図７に示すように、本体とウイング部とを有し、本体及び／又はウイング部をホットメルト型接着剤によりショーツ等の衣類に固定して使用するものが知られている。
この種の物品における前記ホットメルト型接着剤は、通常、吸収性物品を使用するまで剥離紙等によって被覆されており、吸収性物品を使用する際に、該剥離紙を剥離して、ホットメルト型接着剤を露出させるのが一般的である。
本体やウイング部に、このようなホットメルト型接着剤を設ける方法として、剥離紙の剥離処理された面にホットメルト型接着剤を予め塗工しておき、その剥離紙を本体やウイング部に取り付ける方法がある（特許文献１参照）。この方法においては、剥離紙がホットメルト型接着剤を介して本体やウイング部に接合された状態となるが、剥離紙を本体やウイング部から剥離すると、剥離紙とホットメルト型接着剤との界面が剥離して、ホットメルト型接着剤が本体やウイング部側に残るため、ホットメルト型接着剤を用いて本体やウイング部をショーツ等に固定することができる。
【０００３】
しかし、近年においては、本体やウイング部のホットメルト型接着剤を設ける面を、不織布で構成する場合があり、そのような場合には、ホットメルト型接着剤の不織布に対する結合力が不足し、剥離紙を剥離する際に、ホットメルト型接着剤の一部が剥離紙と共に剥がれたり、接着剤を介してショーツに固定して使用した吸収性物品を、使用後に該ショーツから引き剥がすときに該ショーツに接着剤が残ってしまう場合がある。
【０００４】
【特許文献１】特表平５−５０６７９９号公報
【発明の開示】
【発明が解決しようとする課題】
【０００５】
本発明の目的は、搬送ロールにてシートを搬送し、該シートをホットメルト型の接着剤を介して他の部材に接合させるに際し、シートを搬送ロールの外周面に吸着して安定的に搬送することができると共に、ホットメルト型の接着剤を他の部材に強固に結合させることのできるシート接合装置を提供することにある。
また、本発明の目的は、衣類当接面にホットメルト型の接着剤からなる粘着部を有する吸収性物品を効率良く製造することのできる吸収性物品の製造方法を提供することにある。
【課題を解決するための手段】
【０００６】
本発明は、ホットメルト型の接着剤が塗工されたシートを、該接着剤を介して他の部材に接合するシート接合装置であって、前記シートを外周面に保持しつつ回転し、該シートを他の部材との接合部又は他のロールへの受け渡し部まで搬送する搬送ロール、該搬送ロールの外周面に開口する吸引口から吸引して、該外周面に前記シートを吸着する吸引機構、及び該搬送ロールを加熱し、前記シートに塗工された前記接着剤の温度の低下を抑制可能な加熱手段を備えているシート接合装置を提供することにより、上記目的を達成したものである。
【０００７】
また、本発明は、ショーツ等の衣類に固定するための粘着部を衣類当接面に有する吸収性物品の製造方法であって、ホットメルト型の接着剤が塗工されたシートを、前記シート接合装置を用いて、衣類当接面に接合し、前記粘着部が該接着剤からなり該粘着部が前記シートにより使用時まで被覆保護された形態の吸収性物品を得る、吸収性物品の製造方法を提供することにより、上記目的を達成したものである。
【発明の効果】
【０００８】
本発明のシート接合装置によれば、搬送ロールにてシートを搬送し、該シートをホットメルト型の接着剤を介して他の部材に接合させるに際し、シートを搬送ロールの外周面に吸着して安定的に搬送することができると共に、ホットメルト型の接着剤を他の部材に強固に結合させることができる。
本発明の吸収性物品の製造方法によれば、衣類当接面にホットメルト型の接着剤からなる粘着部を有する吸収性物品を効率良く製造することができる。
【発明を実施するための最良の形態】
【０００９】
以下、本発明をその好ましい実施形態に基づき図面を参照しながら説明する。
本発明のシート接合装置の一実施形態であるシート接合装置１は、図１に示すように、ウイング部固定用のホットメルト型の接着剤１１ａが長手方向に間欠的に塗工された帯状の剥離紙（帯状シート）１０を、該接着剤の塗工部１１，１１間で切断して短尺シート１３とし、該短尺シート１３を、吸収性本体２１とウイング部２２とを有する生理用ナプキン製造中間体（吸収性物品製造中間体）２０における該ウイング部（他の部材）２２にホットメルト型接着剤１１ａを介して接合する装置である。図１中に、帯状シート１０の切断位置を符号１２で示した。
【００１０】
本実施形態で用いた生理用ナプキン製造中間体２０は、図１及び図６に示すように、肌当接面を構成する表面シート２３、非肌当接面を構成する裏面シート２４、及びこれら両シート間に介在された液保持性の吸収体２５を備えた縦長の吸収性本体２１と、該吸収性本体２１の両側縁から幅方向外方に延出する不織布製の一対のウイング部２２，２２とを有するものである。生理用ナプキン製造中間体２０は、図７に示すように、各ウイング部２２の衣類当接面にホットメルト型の接着剤からなるウイング部固定用の粘着部１１ｂが設けられることにより、生理用ナプキン２６として完成するものである。ウイング部固定用の粘着部１１ｂは、生理用ナプキン（吸収性物品）のウイング部２２を、ショーツ等の衣類に固定し、着用中に位置ズレが生じないようにするものである。完成した生理用ナプキン２６において、ウイング部固定用の粘着部１１ｂは、短尺シート１３により被覆され、生理用ナプキンを使用するときまで保護されている。
【００１１】
短尺シート１３を接合する際のウイング部２２，２２は、図１に示すように、吸収性本体２１の肌当接面Ｐ側に折り曲げられており、短尺シート１３は、その折り曲げられたウイング部２２，２２に、ホットメルト型接着剤１１ａを介して接合される。
【００１２】
シート接合装置１は、図１に示すように、短尺シート１３を外周面に保持しつつ回転し、該短尺シート１３をウイング部２２（他の部材）との接合部Ａまで搬送する搬送ロール３０と、該搬送ロール３０の外周面に開口する吸引口３１ａ（図２〜図４参照）から吸引して、該外周面に短尺シート１３を吸着する吸引機構と、該搬送ロール３０を加熱し、短尺シート１３に塗工されたホットメルト型接着剤１１ａの温度の低下を抑制可能な加熱手段３２とを備えている。
シート接合装置１は、更に、帯状シート１０に長手方向に所定の間隔を設けて間欠的にホットメルト型の接着剤１１ａを塗工する接着剤塗工装置１４と、接着剤塗工後の帯状シート１０を短尺シート１３に切断するカッターロール４０と、搬送ロール３０の上方に配置された押しロール（図示せず）とを備えている。搬送ロール３０と前記押しロールとは、外周面同士が相対向するように近接配置されている。
【００１３】
搬送ロール３０は、図２及び図３に示すように、軸長方向の中央部に、外周面に多数の吸引口３１ａが開口した吸着保持部３１を有している。吸着保持部３１は、吸引口３１ａからの吸引により、短尺シート１３を円筒状の外周面に吸着保持する。吸着保持部３１の外周面には、搬送ロール３０の軸長方向に複数の吸引口３１ａが直列してなる吸引口３１ａの列が、周方向に多列に形成されている。
搬送ロール３０は、軸長方向の両端に位置する２側面３３，３４それぞれから軸部３３ａ，３４ａが突出しており、該軸部３３ａ，３４ａを、支持壁３３ｂ，３４ｂにベアリング等を介して回転自在に支持されている。搬送ロール３０は、軸部３３ａに固定されたギア３３ｃを介してカッターロール４０の回転と同期して図中Ｒ１方向に回転駆動される。
【００１４】
搬送ロール３０は、軸長方向の一方の側面３４に開口する側方開口部３５と、吸着保持部３１の外周面に開口する吸引口３１ａとを連通する通気路３６を内部に有している。通気路３６は、図３及び図４に示すように、搬送ロール３０の軸長方向と平行に延びる水平通気路３６ａと、水平通気路３６ａに対して垂直に接続された垂直通気路３６ｂとからなる。
また、搬送ロール３０の側方には、側方開口部３５を有する前記側面３４に対向させて、ブローリング３７が配置されている。ブローリング３７は、環状をなし、軸部３４ａを中央に位置させた状態で支持壁３４ｂに固定されている。ブローリング３７は、外部の吸引装置と接続された吸気路３７ａを内部に有し、該吸気路３７ａは、搬送ロール３０の側面３４と相対向する面に開口部３７ｂを有している。開口部３７ｂは、図５に示すように、細長い形状を有し、周方向の所定の長さに亘って円弧状に開口している。
【００１５】
そして、ブローリング３７の開口部３７ｂと搬送ロール３０の側方開口部３５とが重なっているとき、即ち両開口部３７ｂ，３５が相対向して、搬送ロール３０内の通気路３６とブローリング３７内の吸気路３７ａとが連通状態となっているときに、前記吸引装置により生じさせる負圧が吸引口３１ａまで伝わり、該吸引口３１ａからの吸引が行われる。吸引口３１ａからの吸引は、短尺シート１３を、帯状シート１０の切断部Ｂからウイング部２２との接合部Ａに搬送する間のみに行われるようにすることが好ましい。
シート接合装置１における前記吸引機構は、搬送ロール３０内の通気路３６、ブローリング３７、該ブローリング３７に接続された前記吸引装置等から構成される。尚、吸引装置としては、ボルテックスブロワー、リングブロー、ターボファン等が好ましく用いられる。
【００１６】
搬送ロール３０の周面に短尺シート１３を吸着して搬送している間に、該短尺シート１３上のホットメルト型接着剤１１ａの温度が低下することを防ぐ観点から、搬送ロール３０における吸引口３１ａは、該短尺シート１３におけるホットメルト型接着剤１１ａの塗工部１１と重なる部分には存在せずに、前記塗工部１１の周りのシート部分を吸引する様に配置されていることが好ましい。
【００１７】
シート接合装置１における加熱手段３２は、カートリッジヒーターであり、図３及び図４に示すように、搬送ロール３０に設けられている。詳細には、搬送ロール３０の吸着保持部３１には、ヒーター固定用の貫通孔が、それぞれ該ロール３０の軸長方向と平行に延びるように複数本形成されており、それらの貫通孔のそれぞれにカートリッジヒーター３２が嵌挿されている。カートリッジヒーター３２は、搬送ロール３０の周方向に所定の間隔を開けて設けられている。
また、カートリッジヒーター３２は、搬送ロール３０の半径方向において、水平通気路３６ａよりも回転軸寄りの部位に設けられている。カートリッジヒーター３２を、水平通気路３６よりも回転軸寄りの部位に設けると、熱か広範囲に分散してロールが熱せられていくことによって、搬送ロール３０の表面層部分の周方向の温度差を小さくすることができる。
【００１８】
カートリッジヒーター３２としては、耐熱性のパイプ（例えば耐熱ステンレス管）中に電熱線（ニクロム線等）を有し、該発熱線とパイプの隙間が熱伝導性と絶縁性に優れた材料（ＭｇＯ等）で埋められているもの等を用いることができる。
各カートリッジヒーター３２は、搬送ロール３０の軸部３３ａ内に配されたコード３２ａやロータリーコネクタ３２ｂを介して、図示しない発熱量制御装置に接続されており、発熱量制御装置の設定値を変えることで、発熱量や温度を任意に設定できるようになっている。
加熱手段３２による搬送ロール３０の加熱は、搬送ロール３０の外周面の温度が６０〜２００℃、特に８０〜１４０℃となるように行うことが好ましい。
【００１９】
接着剤塗工装置１４は、公知の搬送機構により連続搬送される帯状シート１０に対してホットメルト型の接着剤１１ａを間欠塗工するように構成されており、より具体的には、帯状シート１０の幅方向の両端近傍それぞれに、それぞれ帯状シート１０の長手方向に所定の間隔おいてホットメルト型接着剤を間欠的に塗工するようになされている。接着剤塗工装置１４としては、各種公知のものを用いることができ、例えば、ダイコーター、ビード、スパイラルコーター、カーテンコーター等を用いることができる。
【００２０】
カッターロール４０は、軸長方向に延びる切断刃４１を、該ロール４０の周方向の２箇所に有している。カッターロール４０は、支持壁３３ｂ，３４ｂにベアリング等を介して回転自在に支持されており、軸部４２に固定されたタイミングプーリーを介してモーター等の動力源（図示せず）より、図中のＲ２方向（Ｒ１方向とは逆方向）に回転駆動される。
そして、カッターロール４０と搬送ロール３０との間に、公知の搬送機構により搬送されてきた帯状シート１０が導入されると、該帯状シート１０は、カッターロールの切断刃４１と搬送ロール３０の外周面との間で強圧されて切断され、切断により生じた個々の短尺シート１３が、搬送ロール３０の外周面に吸着保持されたまま、上述したウイング部２２との接合部Ａまで搬送されるように構成されている。
尚、搬送ロール３０の周速度は、帯状シート１０を搬送ロール３０の周面まで搬送する搬送機構の搬送速度より高速であり、切断前の帯状シート１０の搬送速度と切断後の短尺シート１３の搬送速度の差により、短尺シート１３，１３間に所定の間隔が形成される。
【００２１】
前記押しロールは、搬送ロール３０の外周面に保持されてウイング部（他の部材）２２との接合部Ａ（搬送ロール３の上部）にまで搬送されてきた短尺シート１３（図１参照）を、ウイング部２２（他の部材）と重ねた状態で、搬送ロール３０との間で押圧するように構成されている。短尺シート１３は、少なくとも接着剤１１ａが塗工された部分（接着剤塗工部１１）をウイング部２２に押し付けられ、接着剤１１ａとウイング部２２との間の接着が強固なものとなる。尚、本シート接合装置１における押しロールは、ハンマーロールであり、軸長方向が搬送ロール３０の軸長方向と平行な状態が維持されるように設けられている。押しロールは、搬送ロール３０の回転に連動して回転し、搬送ロール３０の回転方向を時計回りとしたときには反時計回りに回転する。
【００２２】
上述したシート接合装置１を用いて、帯状シート１０から生じた短尺シート１３をウイング部２２に接合するには、図１に示すように、帯状シート１０を公知の搬送機構により連続搬送させつつ、接着剤塗工装置１４により、該帯状シート１０にホットメルト型接着剤１１ａを間欠的に塗工する。この塗工により、ホットメルト型接着剤が塗工された接着剤塗工部１１が、帯状シート１０の幅方向の両端近傍それぞれに、それぞれ帯状シート１０の長手方向に間欠的に形成される。
そして、接着剤が塗工された帯状シート１０を、カッターロール４０と搬送ロール３０との間に導入すると、カッターロールの切断刃４１と搬送ロール４０との間で帯状シート１０が幅方向に亘って切断されて、短尺シート１３が生じる。
【００２３】
帯状シート１０の切断により生じた短尺シート１３は、搬送ロール３０の外周面に吸着保持され、搬送ロール３０の回転に伴って、ウイング部２２（他の部材）との接合部Ａまで搬送される。
ウイング部（他の部材）との接合部Ａには、生理用ナプキン製造中間体２０が公知の搬送手段により搬送されて順次供給されるようになされている。ナプキン製造中間体２０は、それぞれのウイング部２２が、短尺シート１３の接着剤塗工部１１と重なるように速度や間隔を調整されて供給される。そして、短尺シート１３がホットメルト型接着剤１１ａを介してナプキン製造中間体２０におけるウイング部２２に接合される。この接合の際には、搬送ロール３０と押しロール（図示せず）との間で加圧され、短尺シート１３の接着剤塗工部１１がウイング部２２に押し付けられる。
【００２４】
本シート接合装置１においては、短尺シート１３が搬送ロール３０の外周面に吸着された状態で搬送されるため、短尺シート１３が安定的に搬送される。
また、短尺シート１３を搬送ロール３０の外周面に吸着して搬送する場合、搬送ロール３０の内部を流通する気体（空気）によって、該シート１３に塗工されたホットメルト型接着剤１１ａが冷え易く、それによって、ホットメルト型接着剤のウイング部２２（他の部材）に対する結合力が不足し易いが、本実施形態においては、加熱手段３２がホットメルト型接着剤１１ａの温度の低下を抑制可能なように設けられているため、ホットメルト型接着剤１１ａをウイング部２２（他の部材）に強固に固定することができる。
【００２５】
また、本実施形態のシート接合装置１は、図３及び図４に示すように、搬送ロール３０における、側方開口部３５を有する側面３４の近傍が、断熱材５０から構成されている。
断熱材５０は、熱伝導率が０．６ｗ／（ｍ・ｋ）以下であり、曲げ強さが２０Ｍｐａ以上であり、耐熱温度が２００℃以上のものが好ましい。
本実施形態における断熱材５０は、図４に示すように、中央部に開口部を有する中空円柱状の形状を有しており、その外径及び内径は、吸着保持部３１の外径及び内径と略同一である。断熱材５０における、搬送ロールの軸長方向における一端面５１は、吸着保持部３１を構成する中空円柱状の部材３１ｂの一端面と密着状態とされており、他端面５２は、搬送ロール３０の前記側面３４を形成している。吸着保持部３１を構成する中空円柱状の部材３１ｂ、断熱材５０及びカバー部材３９は、共通する軸部材３０ａの周囲に固定されて一体化されている。カバー部材３９は、吸着保持部３１を構成する部材３１ｂの他端面側を封鎖しており、搬送ロール３０の前記側面３３の近傍を構成している。
【００２６】
断熱材５０には、周方向に所定の間隔で貫通孔が形成されており、これらの貫通孔は、上述した水平通気路３６ａの一部を構成している。
断熱材５０は、搬送ロール３０の軸長方向の厚みＴが１〜５０ｍｍであることが好ましく、より好ましくは５〜２０ｍｍである。
また、断熱材５０の好ましい形成材料としては、ヘリサル、ガラスエポキシ樹脂、ベーク材、ピーク材等が挙げられるが、これらの中でもヘリサル（商品名）が、機械的強度、加工性、寸法安定性等に優れた材料であることから好ましい。
吸着保持部３１は、その半径方向におけるカートリッジヒーター３２が配されている部位を含めてそれより外周面側は、ＳＫＤ、ＳＫＨ、ＳＭＣ等の金属材料からなることが、硬度、機械的強度、耐熱性、耐久性の点から好ましい。本実施形態においては、上記部材３１ｂがこのような金属材料から構成されている。
【００２７】
ブローリング３７と搬送ロール３０の隙間に空気が流れ込むと、該空気により搬送ロール３０の側面が冷やされ、搬送ロール３０の軸長方向に温度差が生じ易いが、本実施形態におけるように、搬送ロール３０の側面３４の近傍が断熱材５０から構成されていると、
そのような温度差を防止ないし軽減することができる。
搬送ロール３０の軸長方向に温度差が生じるのを防止ないし軽減することで、短尺シート１３に塗工された２ヶ所のホットメルト接着材１１ａに均一に熱量を与えられ、温度のバラツキを抑えられ、一層確実にウイング部材２２に強固に固定することができる。また、搬送ロール３０は、カッターロール４０の切断刃４１の受け台の役割を果たすことから、搬送ロール３０の軸長方向に温度が均一になることで剥離紙の切断がより安定的に行えるようになる。
【００２８】
また、本実施形態における搬送ロール３０の内部には、図３及び図４に示すように、ヒートパイプ３８が取り付けられている。具体的には、搬送ロール３０の吸着保持部３１には、該ロール３０の軸長方向と平行に多数のヒートパイプ固定用の貫通孔が形成されており、それらの貫通孔のそれぞれにヒートパイプ３８が嵌挿されている。ヒートパイプ３８は、搬送ロール３０の周方向に所定の間隔を開けて複数本配されている。
ヒートパイプ３８は、管表面において温度差が生じた場合、管内の作用液の蒸発・凝集の相変化によって高温部分から低温部分への熱の移動が瞬時に起こり温度差をなくすように作用するものであり、密閉容器内に少量の液体（作動液）を真空封入し、内壁に毛細管構造（ウィック）を備えたもの等を用いることができる。市販品としては、例えばフジクラ製、住友軽金属製、古河電工製、片岡線材製のもの等を用いることができる。
搬送ロール３０にヒートパイプ３８を設けることで、搬送ロール３０の軸長方向に温度差が生じることを防止ないし軽減でき、短尺シート１３に塗工された２つのホットメルト型接着剤１１ａに温度差が出ることなく、二つのホットメルト型接着剤１１ａを一層確実にウイング部２２に強固に固定することができる。
【００２９】
本実施形態におけるヒートパイプ３８は、図４に示すように、搬送ロール３０の半径方向においてカートリッジヒーター３２（加熱手段）の配置位置より外周面に近い部位に設けられている。これにより、搬送ロール３０の表面層で温度差が生じた場合にヒートパイプ３８が作用し、ロール表面の温度差を無くすような働きを行なう。
【００３０】
本発明は、前述した実施形態に制限されることなく、本発明の趣旨を逸脱しない範囲で適宜変更が可能である。
例えば、ホットメルト型接着剤を介してシートを接合する対象は、吸収性物品のウイング部に限られず、吸収性本体の肌当接面を不織布で形成した場合の該不織布等であっても良い。また、短尺シートを接合する対象（ウイング部等）は、不織布のみからなるものの他、不織布と他の材料（樹脂フィルム、織布等）との積層体からなり、ホットメルト型接着剤を押し付ける面が不織布からなるものであっても良い。
また、短尺シートを接合する対象は、そのホットメルト型接着剤を押し付ける面が不織布以外の材料、例えば、樹脂フィルム、紙、織布等からなるものであっても良い。
【００３１】
また、搬送ロールは、ホットメルト型の接着剤が塗工されたシートを他の部材との接合部に搬送するものに代えて、他のロールへの受け渡し部まで搬送するものであっても良い。この場合の他のロールとしては、上述した実施形態の搬送ロール３０と同様の構成を有するものや、吸引機構を有するが加熱手段を有しないもの等を用いることができる。他のロールに受け渡されたシートは、該ロールにより、他の部材との接合部まで搬送される。
また、搬送ロール３０に設けるカートリッジヒーターとして、搬送ロール３０の軸長方向に発熱容量の異なるカートリッジヒーターを用いることもでき、その場合、搬送ロールの軸長方向の温度差を更に少なくすることができる。また、カートリッジヒータに代えて、高温の液体をロール内部で循環させて該ロールを加熱する誘導加熱方式等を用いることもできる。
また、吸引機構は、ブローリングを用いずに、軸部３４ａ内に設けた通気路を介して吸引口３１ａを外部の吸引装置と連通させたものであっても良い。
【００３２】
また、吸収性物品は、生理用ナプキンの他、失禁パッド、パンティライナー、使い捨ておむつ等であっても良く、生理用ナプキン等は、ウイング部を有しないものであっても良い。吸収性物品の製造方法において、ホットメルト型の接着剤を転写させる部位は、ウイング部の衣類当接面に代えて、吸収性本体の衣類当接面であっても良く、また、ウイング部及び吸収性本体それぞれの衣類当接面にホットメルト型の接着剤を転写させるが、その一方のみを、加熱手段を有する接合装置を用いて行っても良い。
また、本発明は、上述した実施形態におけるように、短尺シート（剥離紙）を他の部材から剥離したときに、ホットメルト型接着剤を該他の部材側に残すものであることが好ましいが、短尺シートをホットメルト型の接着剤を介して他の部材に剥離不可能に固定するものであっても良い。ホットメルト型接着剤は、他の部材側に残るホットメルト型接着剤をズレ止め材として用いる場合、常温で粘着性を示すものが好ましい。
ホットメルト型接着剤としては、生理用ナプキン等の吸収性物品において、従来ズレ止め材として用いられているもの等を特に制限なく用いることができる。
【００３３】
好ましく用いられるホットメルト接着剤の一例としては、ベースポリマー、常温で固体の粘着付与成分、軟化剤成分及び酸化防止剤を構成成分として含むものが挙げられる。
ベースポリマーとしては、スチレンブタジエンゴム、スチレン・ブタジエン・スチレンブロック共重合、スチレン・イソプレン・スチレンブロック共重合体、スチレン・エチレン・ブチレン・スチレンブロック共重合体、スチレン・エチレン・プロピレン・スチレンブロック共重合体等が挙げられる。ベースポリマーは、粘着付与成分及び軟化剤成分の合計量を１００重量部とした時、３０〜１３０重量部、特に４０〜１２０重量部の範囲で用いられることが好ましい。前記粘着付与成分としては、Ｃ５系石油樹脂、Ｃ９系石油樹脂、ジシクロペンタジエン系石油樹脂、ロジン系石油樹脂、ポリテルペン樹脂、テルペンフェノール樹脂等が挙げられ、該粘着付与成分及び前記軟化剤成分の合計量１００重量部中、６０〜９９重量部、特に７０〜９５重量部の範囲で用いられることが好ましい。前記軟化剤成分としては、軟化点が１０℃以下で平均分子量が２００〜７００のプロセスオイル、鉱油、各種可塑剤、ポリブテン、及び液状粘着付与樹脂等が挙げられ、前記粘着付与成分及び該軟化剤成分の合計量１００重量部中、１〜４０重量部、特に５〜３０重量部の範囲で用いられることが好ましい。前記酸化防止剤としては、フェノール系酸化防止剤、アミン系酸化防止剤、リン系酸化防止剤、ベンズイミダゾール系酸化防止剤等が用いられ、前記ベースポリマー、前記粘着付与成分及び前記軟化剤成分の合計量を１００重量部とした時、０．５〜３重量部の範囲で用いられることが好ましい。
【００３４】
尚、図６に示す生理用ナプキン製造中間体における表面シート２３は、不織布や開孔樹脂フィルム等からなる液透過性の中央部２３ａと、撥水性の不織布からなるサイド部２３ｂとを有するものであるが、全体が一枚の不織布や開孔樹脂フィルムからなるものであっても良い。
【図面の簡単な説明】
【００３５】
【図１】図１は、本発明のシート接合装置の一実施形態を示す概略斜視図である。
【図２】図２は、図１に示す装置における搬送ロール及びカッターロールを拡大して示す一部破断斜視図である。
【図３】図３は、図１に示す装置における搬送ロール及びカッターロールの軸長方向に沿う断面を示す概略断面図である。
【図４】図４は、図１に示す装置の搬送ロールの分解斜視図である。
【図５】図５は、図１に示す装置のブローリングの搬送ロール側の面を示す図である。
【図６】図６は、図１に示すナプキン製造中間体の詳細を示す平面図である。
【図７】図７は、図１に示すナプキン製造中間体のウイング部にホットメルト型接着剤からなる粘着部を設けて得られる生理用ナプキンを示す図である。
【符号の説明】
【００３６】
１  シート接合装置
１０  帯状シート
１１  接着剤塗工部
１１ａ  ホットメルト型接着剤
１１ｂ  粘着部
２０  生理用ナプキン製造中間体
２１  吸収性本体
２２  ウイング部（他の部材）
３０  搬送ロール
３１  吸着保持部
３１ａ  吸引孔
３２  カートリッジヒーター（加熱手段）
３５  側方開口部
３６  通気路
３７  ブローリング
３８  ヒートパイプ
４０  カッターロール
４１  切断刃
５０  断熱材
【図１】
0005022808.tif 000002
【図２】
0005022808.tif 000003
【図３】
0005022808.tif 000004
【図４】
0005022808.tif 000005
【図５】
0005022808.tif 000006
【図６】
0005022808.tif 000007
【図７】
0005022808.tif 000008